(57)【要約】【課題】  複数の被験者を入れても時間の経過とともに評価室の温度変化を少なくすることのできる温熱環境制御システムの温度制御方法を提供する。【解決手段】  評価室１０の室内の温度を調整する空調手段を備えた温熱環境制御システムの温度制御方法であって、評価室１０の評価を行う前に、想定した室内の条件に応じて前記評価室の湿度、風速、被験者数を設定するとともに、その評価室内に設定した人数の被験者を入れて前記空調手段を所定時間運転し、この運転中、評価室１０の室温を測定して、その運転中の各所定期間毎に室温の変化の勾配を求め、評価室１０の実際の評価を行うとき、前記条件と同じ条件で前記空調手段を所定時間運転するとともに前記各所定期間に対応させて、評価室１０の設定温度を各所定期間の勾配と逆方向に変化させていく。【選択図】  図１
2006183973.tif 000002
【特許請求の範囲】
【請求項１】
評価室の室内の温度を調整する空調手段を備えた温熱環境制御システムの温度制御方法であって、
前記評価室の評価を行う前に、想定した室内の条件に応じて前記評価室の湿度、風速、被験者数を設定するとともに、その評価室内に設定した人数の被験者を入れて前記空調手段を所定時間運転し、
この運転中、前記評価室の室温を測定して、その運転中の各所定期間毎に室温の変化の勾配を求め、
前記評価室の実際の評価を行うとき、前記条件と同じ条件で前記空調手段を所定時間運転するとともに前記各所定期間に対応させて、前記評価室の設定温度を各所定期間の勾配と逆方向に変化させていくことを特徴とする温熱環境制御システムの温度制御方法。
【請求項２】
前記勾配の小さい期間では、この期間における最大設定温度と最小設定温度の中間の温度をその期間の設定温度とすることを特徴とする請求項１に記載の温熱環境制御システムの温度制御方法。
【発明の詳細な説明】
【技術分野】
【０００１】
この発明は、評価室の室内の温度を調整する空調手段を備えた温熱環境制御システムの温度制御方法に関する。
【背景技術】
【０００２】
従来から、温熱環境の試験を行う温熱環境試験室が知られている（特許文献１参照）。
【０００３】
かかる温熱環境試験室は、天井或いは壁に吹出口やメイン吸込口やサブ吸込口を設け、床には空気を暖める輻射パネルを設けて、試験室の中央に設定した実験領域内の上下の気温差を小さくするようにしたものである。
【特許文献１】特開平６−３９３００号公報
【発明の開示】
【発明が解決しようとする課題】
【０００４】
しかしながら、このような温熱環境試験室では、複数の被験者を入れて温熱環境の評価を行う場合、時間の経過とともに室内の温度が上昇してしまうので、温熱環境の評価を精度よく行うことができなかった。
【０００５】
この発明の目的は、複数の被験者を入れても時間の経過とともに評価室の温度変化を少なくすることのできる温熱環境制御システムの温度制御方法を提供することにある。
【課題を解決するための手段】
【０００６】
請求項１の発明は、評価室の室内の温度を調整する空調手段を備えた温熱環境制御システムの温度制御方法であって、
前記評価室の評価を行う前に、想定した室内の条件に応じて前記評価室の湿度、風速、被験者数を設定するとともに、その評価室内に設定した人数の被験者を入れて前記空調手段を所定時間運転し、
この運転中、前記評価室の室温を測定して、その運転中の各所定期間毎に室温の変化の勾配を求め、
前記評価室の実際の評価を行うとき、前記条件と同じ条件で前記空調手段を所定時間運転するとともに前記各所定期間に対応させて、前記評価室の設定温度を各所定期間の勾配と逆方向に変化させていくことを特徴とする。
【０００７】
請求項２の発明は、請求項１の温熱環境制御システムの温度制御方法であって、前記勾配の小さい期間では、この期間における最大設定温度と最小設定温度の中間の温度をその期間の設定温度とすることを特徴とする。
【発明の効果】
【０００８】
請求項１および請求項２の発明によれば、評価室に複数の被験者を入れても評価室の温度を一定に保つことができ、被験者による評価の精度を高めることができる。
【発明を実施するための最良の形態】
【０００９】
以下、この発明に係る温熱環境制御システムの温度制御方法の実施の形態である実施例を図面に基づいて説明する。
【実施例】
【００１０】
図１は温熱環境制御システムの構成を示す。図１において、１０は評価室（実験室）で
あり、この評価室１０内には快適度を測定するアメニティメータ１１,１２と評価室１０
の壁面の温度を測定する温度センサＳ１〜Ｓ４と評価室１０の室温を測定する温度センサＳ５,Ｓ６と後述するダクト１８から吹き出す空気の温度を測定する温度センサＳ７とが
設けられている。１３はテーブル、１４は椅子である。
【００１１】
また、評価室１０の天井には空気を吹き出す天井風出口１５が設けられており、評価室１０の壁には換気扇１６と換気ガラリ１７とが設けられている。１８は床下（図示せず）と評価室１０とを連通したダクトであり、床下には潜熱蓄熱材（図示せず）が設けられている。また、ダクト１８には床下の空気を評価室１０へ送り込むファンＦ（図２参照）が設けられている。床１９には床１９の温度を調整するヒータＨ（図２参照）が設けられている。そして、ダクト１８とファンＦと潜熱蓄熱材等とで空調手段が構成されている。
【００１２】
評価室１０の周囲は壁２０で囲まれており、評価室１０と壁２０との間の空間２１が仮想の屋外となっており、その空間２１の空気が外気としてその温度が図示しない空調機によって調整できるようになっている。Ｓ８は空間２１の温度を測定する温度センサである。
【００１３】
評価室１０の左の隣には前室３０が設けられており、この前室３０にはテーブル３１と４つの椅子３２が設けられている。また、前室３０にはアメニティメータ３３と温度センサＳ９が設けられている。
【００１４】
図２は温熱環境制御システムの制御系の構成を示したブロック図であり、図２において、５０は温度センサＳ５,Ｓ６の検出信号に基づいて評価室１０の温度を求める温度検出
回路である。この温度検出回路５０は、温度センサＳ５,Ｓ６の検出信号値の平均値を求
め、この平均値から評価室１０の温度を求める。５１は温度検出回路５０が求めた温度や温度センサＳ７が検出する温度や操作部５２の操作に基づいてファンＦやヒータＨや換気扇１６を制御する制御装置である。
［動  作］
次に、上記のように構成される温熱環境制御システムの動作について説明する。
【００１５】
先ず、温熱環境制御システムを温度Ｔ０で定値運転をして、評価室内の室温が設定値にて安定している。そして、４名の被験者が評価室１０に入り、各被験者はそれぞれ所定の位置である椅子１４や床座位置１０ａに座る。
【００１６】
ここで、定値運転とは、設定温度を一定にして行う運転のことであり、温熱環境制御システムの設定温度と評価室の室内温度との間は、一定の温度差αが有るため、評価室の室内温度が２６.５゜Ｃのとき、設定温度は２６.５゜Ｃ＋αとなる。
【００１７】
ここでは、例えば、評価室湿度６０％、気流０.１ｍ／ｓ以下、外気温度（空間２１の
温度）２７゜Ｃ、外気の湿度６０％にそれぞれ設定して、温熱環境制御システムを２時間運転したとき、この運転開始時の評価室１０の温度が２６.５゜Ｃとき、図３のグラフＧ
１に示すように評価室１０の温度が時間の経過とともに変化し、ｔ１時間経過したときの温度はＴ０＋Ｔ１であり、２時間経過後の温度はＴ０＋Ｔ１＋Ｔ２になった。この２時間は評価時間であり、被験者は休憩時間無しで評価室１０内に居る。
【００１８】
このグラフＧ１に基づいて、運転開始時から経過時間ｔ１までのｔ１期間（所定期間）の温度上昇の勾配（Ｔ１／ｔ１）と、ｔ２期間（所定期間）の温度上昇の勾配（Ｔ２／ｔ２）を制御装置５１が求める。
【００１９】
この運転は、評価室１０の設定温度ＴはＴ０に設定、すなわち２６.５゜Ｃに設定され
、また、評価室湿度６０％、気流０.１ｍ／ｓ以下、外気温度（空間２１の温度）２７゜
Ｃ、外気の湿度６０％にそれぞれ設定されて行われる。
【００２０】
そして、時間の経過とともに評価室１０の設定温度ＴをＴ１′／ｔ１′の勾配でＴ０から図４に示すように下げていく。ここでは、Ｔ１′＝Ｔ１、ｔ１′＝ｔ１である。
【００２１】
設定温度Ｔが下がることにより、ダクト１８のファンが駆動されて床下の冷却された冷気が評価室１０内へ送り込まれる。この冷気の風量は設定温度Ｔが下がれば下がるほど多くなる。
【００２２】
そして、期間ｔ１′が経過すると、すなわち期間ｔ２′では、設定温度ＴはＴ２′／ｔ２′の勾配でＴ０−Ｔ１′から下げていく。
【００２３】
これら設定温度Ｔに基づいてダクト１８のファンの回転が制御されて、その設定温度Ｔに応じた風量の冷気が評価室１０内へ送り込まれることになる。
【００２４】
このように、評価室１０の温度の変化に応じて、設定温度Ｔを変化させていくので、評価室１０の温度を一定に保つことができ、温度上昇を０.４゜Ｃ以下に抑えることができ
た。
【００２５】
温熱環境制御システムの運転の間、被験者は予め定めた時間毎に快適性の評価を行っていく。
【００２６】
そして、図５の表に示すように、温熱環境制御システムにより室温を２７゜Ｃにして床温を２５゜Ｃと２７゜Ｃにした場合のそれぞれの快適性の評価と、室温を２９゜Ｃにして床温を２５゜Ｃと２７゜Ｃと２９゜Ｃにした場合のそれぞれ快適性の評価と、室温を３１゜Ｃにして床温を２９゜Ｃにした場合の快適性の評価を求め、これら評価から等快適曲線を作成する。なお、各場合とも評価室湿度６０％、気流０.１ｍ／ｓ以下、外気温度（空
間２１の温度）２７゜Ｃ、外気の湿度６０％にそれぞれ設定する。
【００２７】
上記の温熱環境制御システムによれば、評価室１０の温度を一定に保つことができ、温度上昇を０.４゜Ｃ以下に抑えることができるので、快適性の評価を精度よく行うことが
でき、精度のよい等快適曲線を得ることができる。
【００２８】
上記実施例では、期間ｔ２′で設定温度ＴをＴ２′／ｔ２′の勾配で下げていくが、Ｔ２′が小さい場合には、設定温度Ｔを一定のＴ０−Ｔ１′−Ｔ２′／２にして温熱環境制御システムを定値運転させてもよい。
【図面の簡単な説明】
【００２９】
【図１】温熱環境制御システムの構成を示した説明図である。
【図２】温熱環境制御システムの制御系の構成を示したブロック図である。
【図３】評価室の温度の経時変化を示したグラフである。
【図４】評価室の温度の経時変化と設定温度との関係を示したグラフである。
【図５】快適評価を行う場合の室温と床温の温度を示した表である。
【符号の説明】
【００３０】
１０                評価室
１６                換気扇
１７                換気ガラリ
１８                ダクト
Ｓ５                温度センサ
Ｓ６                温度センサ
【図１】
2006183973.tif 000003
【図２】
2006183973.tif 000004
【図３】
2006183973.tif 000005
【図４】
2006183973.tif 000006
【図５】
2006183973.tif 000007